【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
内視鏡的縫合装置であって、
手動操作型の縫合針装填アセンブリを支持するハンドルアセンブリと、
該ハンドルアセンブリ上に動作可能に支持され、かつ、接続される、ツールアセンブリと、
該ツールアセンブリと動作可能に関連付けられる縫合針であって、該ツールアセンブリは、互いに枢動可能に関連付けられる一対の並列のジョーを含み、各ジョーは、自身の組織接触表面に形成される針受容陥凹を画定する、縫合針と、
該ハンドルアセンブリと該ツールアセンブリとの間に延在する作動ケーブルであって、該作動シャフトの軸方向変位は、該ジョーの開放および閉鎖をもたらし、該作動ケーブルの回転は、該ジョーにおける該縫合針の選択的保持をもたらす、作動ケーブルと
を備え、該作動ケーブルの近位端は、該縫合針装填アセンブリの作動が、該作動ケーブルに回転を付与して、該ジョーのうちの１つに該縫合針を選択的に係合するように、該縫合針装填アセンブリに接続される、内視鏡的縫合装置。
【請求項２】
前記ハンドルアセンブリと前記ツールアセンブリとを相互接続する関節運動可能なネックアセンブリをさらに備え、該ネックアセンブリは、自身の縦方向軸を横断する少なくとも１つの方向への関節運動のために構成および適合される、請求項１に記載の内視鏡的縫合装置。
【請求項３】
各ジョーにおいて摺動可能に支持され、前記作動ケーブルと動作可能に関連付けられる、軸方向に平行移動可能な針係合ブレードをさらに備える、請求項１に記載の内視鏡的縫合装置。
【請求項４】
各ブレードは、前進位置を含んでもよく、該前進位置において、前記縫合針が各ジョーの中にあるときに、該ブレードの遠位端は、該縫合針を係合して、それによって、自身で該縫合針を固定する、請求項２に記載の内視鏡的縫合装置。
【請求項５】
各ブレードは、後退位置を含んでもよく、該後退位置において、該ブレードの遠位端は、縫合針との係合から外れている、請求項４に記載の内視鏡的縫合装置。
【請求項６】
前記一対のブレードは、前記作動ケーブルの回転の際に、互いに対して反対方向に平行移動するように、互いに動作可能に接合される、請求項５に記載の内視鏡的縫合装置。
【請求項７】
前記作動ケーブルは、前記ネックアセンブリを通って平行移動可能に延在し、かつ前記一対のジョーに動作可能に接続される、請求項２に記載の内視鏡的縫合装置。
【請求項８】
前記作動ケーブルは、前記ジョーが互いから離れて間隔を置く、第１の位置と、該一対のジョーが互いに近接して間隔を置く関係にある、第２の位置とを含む、請求項７に記載の内視鏡的縫合装置。
【請求項９】
前記縫合針装填アセンブリは、ノブの回転が前記作動ケーブルの回転をもたらすように、そして、前記作動シャフトが該ノブに対して自由に軸方向に平行移動できるように、前記作動シャフトにキー接続されるノブを含む、請求項８に記載の内視鏡的縫合装置。
【請求項１０】
前記縫合針装填アセンブリは、前記ノブの一方向の回転のために構成される、請求項９に記載の内視鏡的縫合装置。
【請求項１１】
前記ネックアセンブリを通って摺動可能に延在し、前記ツールアセンブリに固定的に接続される遠位端を有する、少なくとも１つの関節運動ケーブルをさらに備える、請求項２に記載の内視鏡的縫合装置。
【請求項１２】
前記関節運動ケーブルは、前記ネックアセンブリの中心軸から距離をあけた軸に沿って配置される、請求項１１に記載の内視鏡的縫合装置。
【請求項１３】
前記一対のブレードを相互接続し、カムハブに対する前記作動ケーブルの軸方向運動を可能にするように、前記作動シャフトの遠位端にキー接続されるカムハブをさらに備え、該カムハブは、該作動ケーブルの回転の際に回転する、請求項６に記載の内視鏡的縫合装置。
【請求項１４】
前記カムハブは、該カムハブの回転が前記一対のブレードのそれぞれの軸方向平行移動をもたらすような態様で、各ブレードの近位端に動作可能に接続される、請求項１３に記載の内視鏡的縫合装置。
【請求項１５】
前記縫合針は、そこから延在する、ある長さの鉤付き縫合糸を含む、請求項１に記載の内視鏡的縫合装置。
【手続補正２】
【補正対象書類名】明細書
【補正対象項目名】００１０
【補正方法】変更
【補正の内容】
【００１０】
上記課題を解決するために、本発明は、例えば、以下を提供する：
（項目１）
内視鏡的縫合装置であって、
手動操作型の縫合針装填アセンブリを支持するハンドルアセンブリと、
該ハンドルアセンブリ上に動作可能に支持され、かつ、接続される、ツールアセンブリと、
該ツールアセンブリと動作可能に関連付けられる縫合針であって、該ツールアセンブリは、互いに枢動可能に関連付けられる一対の並列のジョーを含み、各ジョーは、自身の組織接触表面に形成される針受容陥凹を画定する、縫合針と、
該ハンドルアセンブリと該ツールアセンブリとの間に延在する作動ケーブルであって、該作動シャフトの軸方向変位は、該ジョーの開放および閉鎖をもたらし、該作動ケーブルの回転は、該ジョーにおける該縫合針の選択的保持をもたらす、作動ケーブルと
を備え、該作動ケーブルの近位端は、該縫合針装填アセンブリの作動が、該作動ケーブルに回転を付与して、該ジョーのうちの１つに該縫合針を選択的に係合するように、該縫合針装填アセンブリに接続される、内視鏡的縫合装置。
（項目２）
上記ハンドルアセンブリと上記ツールアセンブリとを相互接続する関節運動可能なネックアセンブリをさらに備え、該ネックアセンブリは、自身の縦方向軸を横断する少なくとも１つの方向への関節運動のために構成および適合される、項目１に記載の内視鏡的縫合装置。
（項目３）
各ジョーにおいて摺動可能に支持され、上記作動ケーブルと動作可能に関連付けられる、軸方向に平行移動可能な針係合ブレードをさらに備える、項目１に記載の内視鏡的縫合装置。
（項目４）
各ブレードは、前進位置を含んでもよく、該前進位置において、上記縫合針が各ジョーの中にあるときに、該ブレードの遠位端は、該縫合針を係合して、それによって、自身で該縫合針を固定する、項目２に記載の内視鏡的縫合装置。
（項目５）
各ブレードは、後退位置を含んでもよく、該後退位置において、該ブレードの遠位端は、縫合針との係合から外れている、項目４に記載の内視鏡的縫合装置。
（項目６）
上記一対のブレードは、上記作動ケーブルの回転の際に、互いに対して反対方向に平行移動するように、互いに動作可能に接合される、項目５に記載の内視鏡的縫合装置。
（項目７）
上記作動ケーブルは、上記ネックアセンブリを通って平行移動可能に延在し、かつ上記一対のジョーに動作可能に接続される、項目２に記載の内視鏡的縫合装置。
（項目８）
上記作動ケーブルは、上記ジョーが互いから離れて間隔を置く、第１の位置と、該一対のジョーが互いに近接して間隔を置く関係にある、第２の位置とを含む、項目７に記載の内視鏡的縫合装置。
（項目９）
上記縫合針装填アセンブリは、ノブの回転が上記作動ケーブルの回転をもたらすように、そして、上記作動シャフトが該ノブに対して自由に軸方向に平行移動できるように、上記作動シャフトにキー接続されるノブを含む、項目８に記載の内視鏡的縫合装置。
（項目１０）
上記縫合針装填アセンブリは、上記ノブの一方向の回転のために構成される、項目９に記載の内視鏡的縫合装置。
（項目１１）
上記ネックアセンブリを通って摺動可能に延在し、上記ツールアセンブリに固定的に接続される遠位端を有する、少なくとも１つの関節運動ケーブルをさらに備える、項目２に記載の内視鏡的縫合装置。
（項目１２）
上記関節運動ケーブルは、上記ネックアセンブリの中心軸から距離をあけた軸に沿って配置される、項目１１に記載の内視鏡的縫合装置。
（項目１３）
上記一対のブレードを相互接続し、カムハブに対する上記作動ケーブルの軸方向運動を可能にするように、上記作動シャフトの遠位端にキー接続されるカムハブをさらに備え、該カムハブは、該作動ケーブルの回転の際に回転する、項目６に記載の内視鏡的縫合装置。
（項目１４）
上記カムハブは、該カムハブの回転が上記一対のブレードのそれぞれの軸方向平行移動をもたらすような態様で、各ブレードの近位端に動作可能に接続される、項目１３に記載の内視鏡的縫合装置。
（項目１５）
上記縫合針は、そこから延在する、ある長さの鉤付き縫合糸を含む、項目１に記載の内視鏡的縫合装置。
（項目１６）
内視鏡的縫合装置であって、
針装填アセンブリを含むハンドルアセンブリと、
該ハンドルアセンブリ上に支持され、少なくとも一対の機能を果たすように構成および適合される、エンドエフェクタと、
該ハンドルアセンブリと該エンドエフェクタとの間で動作可能に接続される単一の作動ケーブルと
を備え、該作動ケーブルは、該少なくとも一対の機能の動作を生じさせることが可能であり、該作動ケーブルは、自身の軸方向平行移動の際に、該一対の機能のうちの第１の動作を、そして、自身の回転の際に、該一対の機能のうちの第２の動作を生じさせることが可能であり、該作動ケーブルは、該針装填アセンブリの手動による作動の際に回転可能である、内視鏡的縫合装置。
（項目１７）
上記エンドエフェクタは、関節運動可能なネックアセンブリの遠位端上に動作可能に支持されるツールアセンブリを含み、該ネックアセンブリは、自身の縦方向軸を横断する少なくとも１つの方向への関節運動のために構成および適合される、項目１６に記載の内視鏡的縫合装置。
（項目１８）
上記ツールアセンブリと動作可能に関連付けられる縫合針をさらに備え、該ツールアセンブリは、互いに枢動可能に関連付けられる一対の並列のジョーを含み、各ジョーは、自身の組織接触表面に形成される針受容陥凹を画定する、項目１７に記載の内視鏡的縫合装置。
（項目１９）
各ジョーにおいて摺動可能に支持され、上記作動ケーブルと動作可能に関連付けられる軸方向に平行移動可能な針係合ブレードをさらに備える、項目１８に記載の内視鏡的縫合装置。
（項目２０）
各ブレードは、前進位置を含み、該前進位置において、上記縫合針が各ジョーの中にあるときに、該ブレードの遠位端は、該縫合針を係合して、それによって、自身で該縫合針を固定する、項目１９に記載の内視鏡的縫合装置。
（項目２１）
各ブレードは、後退位置を含み、該後退位置において、該ブレードの遠位端は、該縫合針との係合から外れている、項目２０に記載の内視鏡的縫合装置。
（項目２２）
上記一対のブレードは、上記作動ケーブルの回転の際に、互いに対して反対方向に平行移動するように、互いに動作可能に接合される、項目２１に記載の内視鏡的縫合装置。
（項目２３）
上記作動ケーブルは、上記ネックアセンブリを通って平行移動可能に延在し、上記一対のジョーに動作可能に接続される、項目１８に記載の内視鏡的縫合装置。
（項目２４）
上記作動ケーブルは、上記ジョーが互いから離れて間隔を置く、第１の位置と、該一対のジョーが互いに近接して間隔を置く関係にある、第２の位置とを含む、項目２３に記載の内視鏡的縫合装置。
（項目２５）
上記縫合針装填アセンブリは、ノブの回転が上記作動ケーブルの回転をもたらすように、かつ上記作動シャフトが該ノブに対して自由に軸方向に平行移動できるように、該作動シャフトにキー接続されるノブを含む、項目２４に記載の内視鏡的縫合装置。
（項目２６）
上記縫合針装填アセンブリは、上記ノブの一方向の回転のために構成される、項目２５に記載の内視鏡的縫合装置。
（項目２７）
上記ネックアセンブリを通って摺動可能に延在し、上記ツールアセンブリに固定的に接続される遠位端を有する、少なくとも１つの関節運動ケーブルをさらに備える、項目１８に記載の内視鏡的縫合装置。
（項目２８）
上記関節運動ケーブルは、上記ネックアセンブリの中心軸から距離をあけた軸に沿って配置される、項目２７に記載の内視鏡的縫合装置。
（項目２９）
上記一対のブレードを相互接続し、カムハブに対する上記作動ケーブルの軸方向運動を可能にするように、上記作動シャフトの遠位端にキー接続されるカムハブをさらに備え、該カムハブは、作動ケーブルの回転の際に回転する、項目２２に記載の内視鏡的縫合装置。
（項目３０）
上記カムハブは、該カムハブの回転が上記一対のブレードのそれぞれの軸方向平行移動をもたらすような態様で、各ブレードの近位端に動作可能に接続される、項目２９に記載の内視鏡的縫合装置。
（項目３１）
上記縫合針は、自身から延在する、ある長さの鉤付き縫合糸を含む、項目１８に記載の内視鏡的縫合装置。
本開示は、アクセス管または同類のものを介した内視鏡的縫合および／または縫い合わせのためのエンドエフェクタ、システム、および方法に関する。